(57)【要約】【課題】電気二重層コンデンサを用いることで急速充電が可能で、ＬＥＤ点灯等の用途に好適に使用可能な充放電回路を提供する。【解決手段】入力端子１０，１１間に接続される抵抗Ｒ１と定電圧ダイオードＤ２の直列回路と、定電圧ダイオードＤ２の一端に接続されるダイオードＤ３及び電気二重層コンデンサＣ１の第１の直列回路と、定電圧ダイオードＤ２の一端に接続されるダイオードＤ４及び電気二重層コンデンサＣ２の第２の直列回路とを有する。入力端子１０，１１間に直流電圧が印加されているときは、リレーＫの接点部により、電気二重層コンデンサを含む第１及び第２の直列回路を並列接続し、入力端子１０，１１間に直流電圧が印加されないときは、出力端子２０，２１間に各電気二重層コンデンサＣ１，Ｃ２を直列に接続する。【選択図】図１
0003147685.tif 000002
【実用新案登録請求の範囲】
【請求項１】
正負の入力端子（１０，１１）間に接続される第１の抵抗（Ｒ１）と第１のダイオードとしての定電圧ダイオード（Ｄ２）との直列回路と、
前記定電圧ダイオード（Ｄ２）の一端に接続される第２のダイオード及び電気二重層コンデンサの直列回路の複数個と、
充電時には前記定電圧ダイオード（Ｄ２）の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
前記定電圧ダイオード（Ｄ２）のツェナー電圧は前記電気二重層コンデンサの耐圧以下であり、充電時には、前記定電圧ダイオード（Ｄ２）の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴とする充放電回路。
【請求項２】
正負の入力端子（１０，１１）間の直流電圧が供給される直流安定化回路（３０）と、
前記直流安定化回路（３０）の安定化直流電圧出力端の一方に接続される第２のダイオード及び電気二重層コンデンサの直列回路の複数個と、
充電時には前記直流安定化回路（３０）の安定化直流電圧出力端の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
前記直流安定化回路（３０）の安定化直流電圧出力は前記電気二重層コンデンサの耐圧以下であり、充電時には、前記安定化直流電圧出力端の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴とする充放電回路。
【請求項３】
請求項１に記載の充放電回路において、前記スイッチ手段がリレーであり、前記正負の入力端子間に所定直流電圧が印加されているときは、前記定電圧ダイオードの両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続するものである、充放電回路。
【請求項４】
請求項２に記載の充放電回路において、前記スイッチ手段がリレーであり、前記正負の入力端子間に所定直流電圧が印加されているときは、前記安定化直流電圧出力端の両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続するものである、充放電回路。
【請求項５】
正負の入力端子（１０，１１）間に接続される抵抗（Ｒ１）と定電圧ダイオード（Ｄ２）の直列回路と、
前記定電圧ダイオード（Ｄ２）の一端に接続されるダイオード（Ｄ３）及び電気二重層コンデンサ（Ｃ１）の第１の直列回路と、
前記定電圧ダイオード（Ｄ２）の一端に接続されるダイオード（Ｄ４）及び電気二重層コンデンサ（Ｃ２）の第２の直列回路と、
励磁コイルが前記正負の入力端子（１０，１１）間に接続されたリレーとを備え、
前記定電圧ダイオード（Ｄ２）のツェナー電圧は前記電気二重層コンデンサ（Ｃ１，Ｃ２）の耐圧以下であり、
前記正負の入力端子間に所定直流電圧が印加されているときは、前記励磁コイルが励磁された状態のリレー（Ｋ）の接点部により、前記定電圧ダイオード（Ｄ２）の両端にダイオード（Ｄ３）及び電気二重層コンデンサ（Ｃ１）の第１の直列回路と、ダイオード（Ｄ４）及び電気二重層コンデンサ（Ｃ２）の第２の直列回路とを並列に接続し、
前記正負の入力端子間に所定直流電圧が印加されないときは、前記励磁コイルが励磁されていない状態の前記リレー（Ｋ）の接点部により、正負の出力端子（２０，２１）間に各電気二重層コンデンサ（Ｃ１，Ｃ２）を直列に接続するものである、充放電回路。
【請求項６】
正負の入力端子（１０，１１）間に接続される第１のダイオード（Ｄ５）及び第２の抵抗（Ｒ２）の直列回路と、
前記第２の抵抗（Ｒ２）の一端に接続される第２のダイオード及び電気二重層コンデンサの直列回路の複数個と、
充電時には前記第２の抵抗の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
充電時には、前記正負の入力端子間に印加された所定直流電圧から前記第１のダイオードの順方向電圧降下を差し引いた前記第２の抵抗の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴とする充放電回路。
【請求項７】
請求項６に記載の充放電回路において、前記スイッチ手段がリレーであり、前記正負の入力端子間に所定直流電圧が印加されているときは、前記第２の抵抗（Ｒ２）の両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続するものである、充放電回路。
【請求項８】
正負の入力端子間に接続されるダイオード（Ｄ５）及び抵抗（Ｒ２）の直列回路と、
前記抵抗（Ｒ２）の一端に接続されるダイオード（Ｄ３）及び電気二重層コンデンサ（Ｃ１）の第１の直列回路と、
前記抵抗（Ｒ２）の一端に接続されるダイオード（Ｄ４）及び電気二重層コンデンサ（Ｃ２）の第２の直列回路と、
励磁コイルが前記正負の入力端子間に接続されたリレーとを備え、
前記正負の入力端子間に所定直流電圧が印加されているときは、前記励磁コイルが励磁された状態のリレー（Ｋ）の接点部により、前記抵抗（Ｒ２）の両端にダイオード（Ｄ３）及び電気二重層コンデンサ（Ｃ１）の第１の直列回路と、ダイオード（Ｄ４）及び電気二重層コンデンサ（Ｃ２）の第２の直列回路とを並列に接続し、
前記正負の入力端子間に所定直流電圧が印加されないときは、前記励磁コイルが励磁されていない状態の前記リレー（Ｋ）の接点部により、正負の出力端子（２０，２１）間に各電気二重層コンデンサ（Ｃ１，Ｃ２）を直列に接続するものである、充放電回路。
【請求項９】
請求項１乃至８のいずれかに記載の充放電回路において、前記定電圧ダイオード以外のダイオードがショットキー・バリア・ダイオード又は整流用シリコンダイオードである、充放電回路。
【請求項１０】
請求項１乃至９のいずれかに記載の充放電回路において、前記正負の入力端子間に電源アダプタのＤＣ３〜１２Ｖが供給され、前記電気二重層コンデンサの耐圧が２．３Ｖ〜２．５Ｖである、充放電回路。
【考案の詳細な説明】
【技術分野】
【０００１】
本考案は、発光ダイオード（ＬＥＤ）の点灯装置等に使用することが可能な充放電回路に関する。
【背景技術】
【０００２】
これまで、インテリア照明やムード照明はＡＣ１００Ｖコード付き又は電池使用であった。ＡＣ１００Ｖコード付き照明器具はコードが邪魔であり、照明器具の個数が増えるとコード配線を目立たなくすることが難しくなる。一方、電池使用の場合には、電池の交換が必要であり、電池の使い捨ては資源の無駄であり、ＡＣ１００Ｖ使用に比較してコスト高でもある。
【０００３】
一方、電池の使い捨てを無くす観点から蓄電池（二次電池）の使用も考えられるが、充電に時間がかかる問題がある。
【０００４】
本考案者は、従来一般的な蓄電池の代わりに、電気二重層コンデンサの使用について着目した。
【０００５】
電気二重層コンデンサは、同一体積に対するエネルギー蓄積は、通常のアルミ電解コンデンサとの比較では、Ｑ＝ＣＶで計算して約２００倍以上あり、しかも急速充電が可能である。但し、使用電圧が１Ｆまでは５Ｖ以下（耐圧５Ｖ）、これ以上の容量は２．３Ｖ又は２．５Ｖ以下（耐圧２．３又は２．５Ｖ）である。一方、ＬＥＤ点灯には３Ｖ以上が必要であり、また２．３Ｖ程度のＡＣ電源アダプタは市販されていない。市販されているＡＣ電源アダプタは最低でもＤＣ３Ｖのものである。このため、大容量の電気二重層コンデンサを充電し、その充電電圧を利用してＬＥＤ点灯を考えた場合、回路に工夫が必要である。
【考案の開示】
【考案が解決しようとする課題】
【０００６】
本考案の第１の目的は、電気二重層コンデンサを用いることで急速充電が可能で、ＬＥＤ点灯等の用途に好適に使用可能な充放電回路を提供することにある。
【０００７】
本考案の第２の目的は、市販の電源アダプタのＤＣ出力電圧を利用して急速充電可能で、ＬＥＤ点灯が可能なＤＣ３Ｖ以上の出力電圧を供給できる充放電回路を提供することにある。
【０００８】
本考案のその他の目的や新規な特徴は後述の実施の形態において明らかにする。
【課題を解決するための手段】
【０００９】
上記目的を達成するために、本願請求項１の考案に係る充放電回路は、正負の入力端子（１０，１１）間に接続される第１の抵抗（Ｒ１）と第１のダイオードとしての定電圧ダイオード（Ｄ２）との直列回路と、
前記定電圧ダイオード（Ｄ２）の一端に接続される第２のダイオード及び電気二重層コンデンサの直列回路の複数個と、
充電時には前記定電圧ダイオード（Ｄ２）の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
前記定電圧ダイオード（Ｄ２）のツェナー電圧は前記電気二重層コンデンサの耐圧以下であり、充電時には、前記定電圧ダイオード（Ｄ２）の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴としている。
【００１０】
本願請求項２の考案に係る充放電回路は、正負の入力端子（１０，１１）間の直流電圧が供給される直流安定化回路（３０）と、
前記直流安定化回路（３０）の安定化直流電圧出力端の一方に接続される第２のダイオード及び電気二重層コンデンサの直列回路の複数個と、
充電時には前記直流安定化回路（３０）の安定化直流電圧出力端の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
前記直流安定化回路（３０）の安定化直流電圧出力は前記電気二重層コンデンサの耐圧以下であり、充電時には、前記安定化直流電圧出力端の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴としている。
【００１１】
本願請求項３の考案に係る充放電回路は、請求項１において、前記スイッチ手段がリレーであり、前記正負の入力端子間に所定直流電圧が印加されているときは、前記定電圧ダイオードの両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続することを特徴としている。
【００１２】
本願請求項４の考案に係る充放電回路は、請求項２において、前記スイッチ手段がリレーであり、前記正負の入力端子間に所定直流電圧が印加されているときは、前記安定化直流電圧出力端の両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続するものであることを特徴としている。
【００１３】
本願請求項５の考案に係る充放電回路は、正負の入力端子（１０，１１）間に接続される抵抗（Ｒ１）と定電圧ダイオード（Ｄ２）の直列回路と、
前記定電圧ダイオード（Ｄ２）の一端に接続されるダイオード（Ｄ３）及び電気二重層コンデンサ（Ｃ１）の第１の直列回路と、
前記定電圧ダイオード（Ｄ２）の一端に接続されるダイオード（Ｄ４）及び電気二重層コンデンサ（Ｃ２）の第２の直列回路と、
励磁コイルが前記正負の入力端子（１０，１１）間に接続されたリレーとを備え、
前記定電圧ダイオード（Ｄ２）のツェナー電圧は前記電気二重層コンデンサ（Ｃ１，Ｃ２）の耐圧以下であり、
前記正負の入力端子間に所定直流電圧が印加されているときは、前記励磁コイルが励磁された状態のリレー（Ｋ）の接点部により、前記定電圧ダイオード（Ｄ２）の両端にダイオード（Ｄ３）及び電気二重層コンデンサ（Ｃ１）の第１の直列回路と、ダイオード（Ｄ４）及び電気二重層コンデンサ（Ｃ２）の第２の直列回路とを並列に接続し、
前記正負の入力端子間に所定直流電圧が印加されないときは、前記励磁コイルが励磁されていない状態の前記リレー（Ｋ）の接点部により、正負の出力端子（２０，２１）間に各電気二重層コンデンサ（Ｃ１，Ｃ２）を直列に接続するものであることを特徴としている。
【００１４】
本願請求項６の考案に係る充放電回路は、正負の入力端子（１０，１１）間に接続される第１のダイオード（Ｄ５）及び第２の抵抗（Ｒ２）の直列回路と、
前記第２の抵抗（Ｒ２）の一端に接続される第２のダイオード及び電気二重層コンデンサの直列回路の複数個と、
充電時には前記第２の抵抗の両端に前記第２のダイオード及び電気二重層コンデンサの直列回路の複数個を並列に接続し、放電時には正負の出力端子（２０，２１）間に各電気二重層コンデンサを直列に接続するスイッチ手段とを備え、
充電時には、前記正負の入力端子間に印加された所定直流電圧から前記第１のダイオードの順方向電圧降下を差し引いた前記第２の抵抗の両端の電圧で、それぞれ前記第２のダイオードを通して前記電気二重層コンデンサを充電し、
放電時には、前記正負の出力端子（２０，２１）間に各電気二重層コンデンサの充電電圧の総和を供給することを特徴としている。
【００１５】
本願請求項７の考案に係る充放電回路は、請求項６において、前記スイッチ手段がリレーであり、前記正負の入力端子間に所定直流電圧が印加されているときは、前記第２の抵抗（Ｒ２）の両端に前記第２のダイオード及び電気二重層コンデンサの直列回路の複数個を並列に接続し、前記正負の入力端子間に所定直流電圧が印加されないときは、前記正負の出力端子間に各電気二重層コンデンサを直列に接続するものであることを特徴としている。
【００１６】
本願請求項８の考案に係る充放電回路は、正負の入力端子間に接続されるダイオード（Ｄ５）及び抵抗（Ｒ２）の直列回路と、
前記抵抗（Ｒ２）の一端に接続されるダイオード（Ｄ３）及び電気二重層コンデンサ（Ｃ１）の第１の直列回路と、
前記抵抗（Ｒ２）の一端に接続されるダイオード（Ｄ４）及び電気二重層コンデンサ（Ｃ２）の第２の直列回路と、
励磁コイルが前記正負の入力端子間に接続されたリレーとを備え、
前記正負の入力端子間に所定直流電圧が印加されているときは、前記励磁コイルが励磁された状態のリレー（Ｋ）の接点部により、前記抵抗（Ｒ２）の両端にダイオード（Ｄ３）及び電気二重層コンデンサ（Ｃ１）の第１の直列回路と、ダイオード（Ｄ４）及び電気二重層コンデンサ（Ｃ２）の第２の直列回路とを並列に接続し、
前記正負の入力端子間に所定直流電圧が印加されないときは、前記励磁コイルが励磁されていない状態の前記リレー（Ｋ）の接点部により、正負の出力端子（２０，２１）間に各電気二重層コンデンサ（Ｃ１，Ｃ２）を直列に接続するものであることを特徴としている。
【００１７】
本願請求項９の考案に係る充放電回路は、請求項１乃至８において、前記定電圧ダイオード以外のダイオードがショットキー・バリア・ダイオード又は整流用シリコンダイオードであることを特徴としている。
【００１８】
本願請求項１０の考案に係る充放電回路は、請求項１乃至９において、前記正負の入力端子間に電源アダプタのＤＣ３〜１２Ｖが供給され、前記電気二重層コンデンサの耐圧が２．３Ｖ〜２．５Ｖであることを特徴としている。
【考案の効果】
【００１９】
本考案に係る充放電回路によれば、電気二重層コンデンサを用いることで急速充電が可能で、ＬＥＤ点灯等の用途に好適に使用できる。また、電気二重層コンデンサは大容量のものが市販されており、例えばＬＥＤ点灯であれば数時間の点灯が可能である。
【考案を実施するための最良の形態】
【００２０】
以下、本考案を実施するための最良の形態として、充放電回路の実施の形態を図面に従って説明する。
【００２１】
図１は本考案に係る充放電回路の実施の形態を示す回路図である。この図において、Ｃ１，Ｃ２は耐圧２．３Ｖ〜２．５Ｖの電気二重層コンデンサであり、好ましくは１０Ｆ以上の大容量の静電容量を有するものである。Ｄ１〜Ｄ４はダイオードであり、Ｄ１は保護用ダイオード、Ｄ２は定電圧ダイオード（ツェナーダイオード）、Ｄ３〜Ｄ４は順方向電圧の低いショットキー・バリア・ダイオード（ＳＢＤ）である。Ｋはリレー、Ｒ１は抵抗である。定電圧ダイオードＤ２のツェナー電圧は電気二重層コンデンサＣ１，Ｃ２の耐圧以下（例えば２．３Ｖ〜２．５Ｖ以下に）設定されている。
【００２２】
ＡＣ電源アダプタの直流出力電圧が供給される正負の入力端子１０，１１間に保護用ダイオードＤ１が逆方向に接続されるとともに、リレーＫの励磁コイルが接続されている。また、正負の入力端子１０，１１間に抵抗Ｒ１と定電圧ダイオードＤ２の直列回路が接続されている。抵抗Ｒ１の抵抗値は
Ｒ１＝（ＤＣ入力電圧−ツェナー電圧）÷（定電圧ダイオードＤ２の許容電流）
で決まる値に設定すればよい。これにより、ＡＣ電源アダプタとしてＤＣ３Ｖ，５Ｖ，６Ｖ，９Ｖ，１２Ｖ（つまりＤＣ３Ｖ〜１２Ｖの範囲）に対応可能である。
【００２３】
前記定電圧ダイオードＤ２の一端（Ｒ１とＤ２の接続点）には、ショットキー・バリア・ダイオードＤ３及び電気二重層コンデンサＣ１の第１の直列回路の一端と、ショットキー・バリア・ダイオードＤ４及び電気二重層コンデンサＣ２の第２の直列回路の一端とが接続されている。そして、第１の直列回路の他端はスイッチ手段としてのリレーＫの接点部を介して負側入力端子１１に接続されるか、あるいはＤ４とＣ２の接続点に切り換えられて接続されるようになっている。第２の直列回路の他端は負側入力端子１１に接続されている。
【００２４】
正負の出力端子２０，２１のうち、正側の出力端子２０はＤ３とＣ１の接続点に接続され、負側の出力端子２１は負側入力端子１１に接続されており、第１の直列回路の他端がリレーＫの接点部を介してＤ４とＣ２の接続点に切り換えられて接続されるとき、電気二重層コンデンサＣ１，Ｃ２の直列回路が正負の出力端子２０，２１に接続されることになる。
【００２５】
充電動作を説明すると、電源アダプタのＤＣ３〜１２Ｖが正負の入力端子１０，１１に印加されると、リレーＫの励磁コイルに通電し、リレーＫの接点部によりショットキー・バリア・ダイオードＤ３及び電気二重層コンデンサＣ１の第１の直列回路と、ショットキー・バリア・ダイオードＤ４及び電気二重層コンデンサＣ２の第２の直列回路とが定電圧ダイオードＤ２に対して並列に接続されて、定電圧ダイオードＤ２の両端の直流電圧にて、ショットキー・バリア・ダイオードＤ３，Ｄ４を通し電気二重層コンデンサＣ１，Ｃ２は急速充電される。
【００２６】
放電動作を説明すると、電源アダプタのＤＣ３〜１２Ｖが無くなると（電源アダプタが切り離されると）、リレーＫの励磁コイルの励磁が無くなり、リレーＫの接点部は電気二重層コンデンサＣ１，Ｃ２を直列に接続した図示状態となる。これにより、電気二重層コンデンサＣ１，Ｃ２の直列回路の両端の電圧（約ＤＣ５Ｖ）が正負の出力端子２０，２１間に出力される。
【００２７】
例えば、正負の出力端子２０，２１にＬＥＤ点灯装置を接続すれば、数時間の点灯が可能となる。
【００２８】
この実施の形態によれば、次の通りの効果を得ることができる。
【００２９】
(1)  市販のＡＣ電源アダプタのＤＣ３〜１２Ｖ出力電圧を利用して急速充電可能で、ＤＣ３Ｖ以上（好ましくは５Ｖ程度）の出力電圧をＬＥＤ点灯装置等に供給できる充放電回路を実現できる。
【００３０】
(2)  電気二重層コンデンサＣ１，Ｃ２は急速充電可能でかつ大きな静電容量であり、ＬＥＤ点灯であれば、数時間の点灯が可能である。このため、コードレスかつ電池レスのＬＥＤ照明に応用できる。
【００３１】
図２は本考案に係る充放電回路の他の実施の形態を示す回路図である。この図において、図１の抵抗Ｒ１と定電圧ダイオードＤ２の代わりに、ショットキー・バリア・ダイオードＤ５と抵抗Ｒ２を用いている。その他の回路構成は図１と同じである。
【００３２】
前記抵抗Ｒ２の一端（Ｄ５とＲ２の接続点）には、ショットキー・バリア・ダイオードＤ３及び電気二重層コンデンサＣ１の第１の直列回路の一端と、ショットキー・バリア・ダイオードＤ４及び電気二重層コンデンサＣ２の第２の直列回路の一端とが接続されている。そして、第１の直列回路の他端はスイッチ手段としてのリレーＫの接点部を介して負側入力端子１１に接続されるか、あるいはＤ４とＣ２の接続点に切り換えられて接続されるようになっている。第２の直列回路の他端は負側入力端子１１に接続されている。
【００３３】
正負の出力端子２０，２１のうち、正側の出力端子２０はＤ３とＣ１の接続点に接続され、負側の出力端子２１は負側入力端子１１に接続されており、第１の直列回路の他端がリレーＫの接点部を介してＤ４とＣ２の接続点に切り換えられて接続されるとき、電気二重層コンデンサＣ１，Ｃ２の直列回路が正負の出力端子２０，２１に接続されることになる。
【００３４】
充電動作を説明すると、ＡＣ電源アダプタのＤＣ３Ｖが正負の入力端子１０，１１に印加されると、リレーＫの励磁コイルに通電し、リレーＫの接点部によりショットキー・バリア・ダイオードＤ３及び電気二重層コンデンサＣ１の第１の直列回路と、ショットキー・バリア・ダイオードＤ４及び電気二重層コンデンサＣ２の第２の直列回路とが抵抗Ｒ２に対して並列に接続されて、抵抗Ｒ２の両端の直流電圧にて、ショットキー・バリア・ダイオードＤ３，Ｄ４を通し電気二重層コンデンサＣ１，Ｃ２は急速充電される。このとき、ショットキー・バリア・ダイオードＤ５の順方向電圧降下により、電気二重層コンデンサＣ１，Ｃ２の耐圧よりも抵抗Ｒ２の両端の直流電圧が低くなるように設定されている。抵抗Ｒ２の抵抗値は電気二重層コンデンサＣ１，Ｃ２の充電が完了して無負荷状態となっても、抵抗Ｒ２の両端の直流電圧が電気二重層コンデンサＣ１，Ｃ２の耐圧よりも低い状態を維持できるようにしている。
【００３５】
放電動作を説明すると、電源アダプタのＤＣ３Ｖが無くなると（電源アダプタが切り離されると）、リレーＫの励磁コイルの励磁が無くなり、リレーＫの接点部は電気二重層コンデンサＣ１，Ｃ２を直列に接続した図示状態となる。これにより、電気二重層コンデンサＣ１，Ｃ２の直列回路の両端の電圧（約ＤＣ５Ｖ）が正負の出力端子２０，２１間に出力される。
【００３６】
例えば、正負の出力端子２０，２１にＬＥＤ点灯装置を接続すれば、数時間の点灯が可能となる。
【００３７】
以上本考案の実施の形態について説明してきたが、本考案はこれに限定されることなく請求項の記載の範囲内において各種の変形、変更が可能なことは当業者には自明であろう。
【００３８】
変形例として、図１の抵抗Ｒ１と定電圧ダイオードＤ２の直列回路を、図１中点線で示すように直流安定化回路（レギュレータ回路）３０に置き換えることが可能である。この場合、直流安定化回路３０の安定化直流電圧出力は電気二重層コンデンサの耐圧以下であり、充電時には、前記安定化直流電圧出力端の両端の電圧で、それぞれダイオードを通して前記電気二重層コンデンサを充電し、放電時には、正負の出力端子２０，２１間に各電気二重層コンデンサの充電電圧の総和を供給する。
【００３９】
他の変形例としては、ダイオード及び電気二重層コンデンサの直列回路を３個以上とし、定電圧ダイオードＤ２（又は抵抗Ｒ２）の両端に、それらの直列回路を並列に接続して各電気二重層コンデンサの充電を行い、放電時には正負の出力端子間に各電気二重層コンデンサをスイッチ手段で直列に接続する構成としてもよい。スイッチ手段はリレーＫの接点部に限定されず、手動スイッチや半導体スイッチであってもよい。
【００４０】
Ｄ３〜Ｄ５は順方向電圧の低いショットキー・バリア・ダイオードが最も好ましいが、整流用シリコンダイオードでもよい。
【図面の簡単な説明】
【００４１】
【図１】本考案に係る充放電回路の実施の形態を示す回路図である。
【図２】本考案に係る充放電回路の他の実施の形態を示す回路図である。
【符号の説明】
【００４２】
１０，１１  入力端子
２０，２１  出力端子
Ｃ１，Ｃ２  電気二重層コンデンサ
Ｄ１〜Ｄ５  ダイオード
Ｋ  リレー
Ｒ１，Ｒ２  抵抗
【図１】
0003147685.tif 000003
【図２】
0003147685.tif 000004